(57)【要約】【課題】揚送研磨機の研磨布保持装置による研磨布の保持を確実かつ容易に行うことができるようにする。【解決手段】通常の研磨布保持装置は、揚送研磨機の下扉３の外面に取り付けられた取付板１３に昇降可能にスライド部材１５を装着し、このスライド部材に設けてあるクランプ部材１９により研磨布Ｎを押さえ付けている。この研磨布Ｎは、引っ張りばね２１で付勢することにより弛みを生じないようにしてある。本発明は、引っ張りばね２１にばね掛止手段２５，２７を設けることにより、ばねの着脱操作を容易化し、付勢力が働かない状態の下に研磨布を引き出し、これをクランプ部材１９によって押さえ付け、その後にばねを接続することにより研磨布の押さえ付け位置の下方へのずれを防止可能としたものである。ばねの着脱操作は、ばね着脱手段２３の構成の工夫により容易に行うことができる。【選択図】      図２
2004159929.tif 000002
【特許請求の範囲】
【請求項１】
研磨布と揚送ベルトとによりパチンコ玉を研磨しながら揚送する揚送研磨機の当該研磨布を緊張状態に保持する揚送研磨機の研磨布保持装置であり、
上記揚送研磨機の扉の外面に取り付け可能な取付板と、この取付板に昇降可能に装着してあるスライド部材と、
このスライド部材の両側部に立設してある側板部を介して揺動自在に支持してあり、上記研磨布を当該スライド部材の前面に押さえ付け可能な押さえ付け部を有するクランプ部材と、
両端部を上記スライド部材及び上記扉の外面とに接続可能かつ上記スライド部材を下方に付勢可能に設けてある引っ張りばねと
を備えた揚送研磨機の研磨布保持装置において、
上記引っ張りばねは、上端部又は下端部のいずれかの少なくとも一端部が、上記スライド部材及び／又は上記扉の外側部に設けてある掛止手段に対して着脱容易とするばね着脱手段を介して着脱自在に設けてある
ことを特徴とするパチンコ玉揚送研磨機の研磨布保持装置。
【請求項２】
請求項１において、上記ばね着脱手段は、上記引っ張りばねの下端部に連結してある掛止リングと、
上記扉の外面に首下の部分が一部露出するように立設してあり、頭部が上記掛止リングの通過を容易にする形状に形成してなる特殊頭ボルトとの組み合わせからなる
ことを特徴とするパチンコ玉揚送研磨機の研磨布保持装置。
【請求項３】
請求項１において、上記ばね着脱手段は、上記引っ張りばねの下端部又は上端部のいずれかに連結してあり、一方の側に上向きのフック部を設けてあるフック部材と、
上記扉の外面、又は上記スライド部材の下部のいずれかに固定してあり、他方の側に下向きのフック保持部を設けてあるフック保持部材とを組み合わせを含んでいる
ことを特徴とするパチンコ玉揚送研磨機の研磨布保持装置。
【請求項４】
請求項１において、上記ばね着脱手段は、上記引っ張りばねの下端部に揺動自在に連結してある挿着部材と、
上記扉の所定位置に設けてあり、上記挿着部材を挿着可能な少なくとも１個の挿着穴とからなる
ことを特徴とするパチンコ玉揚送研磨機の研磨布保持装置。
【発明の詳細な説明】
【０００１】
【発明の属する技術分野】
本発明は、パチンコ玉揚送研磨機、特に、ガイドにより支持された帯状の研磨布と無端ベルトの回転とによりパチンコ玉を揚送しながら研磨するパチンコ玉揚送研磨機に備え付けられる研磨布保持装置に関するものである。
【０００２】
【従来の技術】
パチンコ玉揚送研磨機のうち、いわゆるベルト式揚送研磨機は、揚送塔本体に開閉自在に取り付けられた扉の内側に揚送ベースプレートを設け、この揚送プレートの表面には、研磨布が覆うように装着してある。これに対し、揚送塔本体側には、無端ベルトの表面が研磨布と所定間隔で対向し、かつこの表面が上向きに回転移動可能に設けてある。上記の研磨布とベルトの表面との間に送り込まれたパチンコ玉は、ベルトの回転移動に伴って転がり移動により上昇しながら研磨可能としてある。こうして揚送塔内を上昇したパチンコ玉は、上端に達して上部タンク等に貯留された後再利用可能となっている。このようなベルト式揚送研磨機に用いられる研磨布は、揚送研磨機の下部から扉の内側に引き込まれ、扉の内側で上方へ引き上げられ、さらに扉の上部から外へ引き出されて扉の内側に位置する部分は付勢された状態に保持されるようになっているものが多い。この研磨布は、汚れの度合いが進むと研磨能力が低下するため、引き出して扉の内側で研磨作用を分担している部分を交替させることにより、常に研磨性能の低下を防止するようにしている。
【０００３】
研磨布の保持は、下部は布押さえ部材で固定し、上部は扉の外側に取り付けられた研磨布保持装置により、研磨布に付勢力を与えた状態に保持するようになっている（図１参照）。図７は、研磨布保持装置の従来技術例を略図的に示したものであるが、この装置の基本的な構成は、図示されていないガイドフレームに昇降自在に取り付けられたスライド部材１０２と、研磨布Ｎの保持手段１０１と、研磨布に張力を与えるためのばね１１１とからなる。保持手段１０１は、スライド部材１０２と一体の支持板１０４を介して幅方向に設けてある支軸１０３に偏芯状に支持された押圧棒部材１０５と、スライド部材１０２の前面上部に取り付けられた抵抗体１０７と、押圧棒部材１０５を操作するための操作ハンドル１０９とからなる。
【０００４】
研磨布Ｎの保持は、押圧棒部材１０５の先端部とガイドフレームの前面に設けられた抵抗体１０７とにより強圧的に挟み込むことにより行われている。この研磨布保持装置の研磨布Ｎの研磨作用を分担している範囲の位置を交替させるための操作は、操作ハンドル１０９を想像線で示してあるように持ち上げ、押圧棒部材１０５による研磨布の保持状態を解除してから研磨布Ｎを引き出し、再び操作ハンドル１０９を原位置に戻して保持するようになっている（特許文献１参照）。
【０００５】
【特許文献１】
特開２００１−１２０８２７号公報（段落番号００２７〜００３０、図１及び図７）
【０００６】
【発明が解決しようとする課題】
ところで、研磨布Ｎの位置を交替させる際には、操作ハンドル１０９により押圧棒部材１０５による研磨布の押さえ付け状態を解除して引き出すのであるが、この時、押さえ付け状態の解除によりスライド部材１０４には、ばね１１１による下向きの付勢力が働いている。したがって、スライド部材が下降しないように、付勢力に抗して押さえ付けておかなければならないため、操作が面倒なものとになっている。また、研磨布Ｎを引き出した後に再びクランプする際に、押圧棒部材が研磨布を押し上げる方向に回転するため、ばね１１１の付勢力との相乗効果によりスライド部材１０４が下降する現象が起きている。このため、研磨布に対する張力付与が不十分となり、運転中に研磨布が上昇移動するパチンコ玉により押し上げられて弛みを生じやすくなっている。この弛みの発生は、パチンコ玉の円滑な上昇移動を妨げるので、短周期的に研磨布に張力を与えるための操作をしなければならないなどの原因となっている。本発明の目的は、研磨布の保持操作を行う際に研磨布に十分な張力を与えることが可能かつ研磨布を保持するための操作を容易にした揚送研磨機の研磨布保持装置を提供することにある。
【０００７】
【課題を解決するための手段】
上記の目的を達成するために、本発明は、研磨布と揚送ベルトとによりパチンコ玉を研磨しながら揚送する揚送研磨機に装着する研磨布を緊張状態に保持する揚送研磨機の研磨布保持装置に対し、以下の手段を採用し、以下の作用効果を生じるようにしたものである。
【０００８】
（請求項１に記載した発明の構成）
請求項１に記載した発明は、研磨布保持装置の基本的な構成を限定したものである。この研磨布保持装置は、揚送研磨機の構成要素である扉の外面の所定位置に取り付けてある取付板と、この取付板に昇降可能に装着してあるスライド部材と、このスライド部材の両側部に立設してある側板部に揺動自在に支持してあり、このスライド部材の前面に研磨布を押さえ付け可能な押さえ付け部を有するクランプ部材と、上記のスライド部材と上記の扉の外面とをつなぎ、このスライド部材を下方に付勢している引っ張りばねとを備えたもので構成してある。この研磨布保持装置は、上記の引っ張りばねを、上端部又は下端部のいずれかの少なくとも一端部が、上記のスライド部材及び／又は上記の扉の外側部に設けてある掛止手段に対して着脱容易とするばね着脱手段を介して着脱自在に設けてあるところに特徴がある。
【０００９】
（請求項１に記載した発明の作用効果）
引っ張りばねの一端をスライド部材又は揚送研磨機の扉の外面に対して着脱容易とするばね着脱手段を介して着脱自在に設けてあることにより、この引っ張りばねを取り外した状態の下に研磨布を引き出すことができる。したがって従来技術においては、スライド部材が下方に付勢されていたために、これに抗して押さえ付ける必要がなくなるため、操作が容易となる。また、クランプ部材を回動させて研磨布を押さえ付けようとする際に所望の位置よりも低い位置で押さえ付けられる結果となっていた不都合を解消可能となる。すなわち、スライド部材に付勢力が働いていない状態で、これを可能な限り上方へ移動させた状態で押さえ付け操作をすることが可能となるため、所望の位置で押さえ付け可能となる。この結果、研磨布をクランプ部材で押さえ付けてから引っ張りばねを張り渡すようにすれば、十分な付勢力を得ることが可能となる。引っ張りばねの着脱操作は従来技術においても可能ではあるが、両端部が固定されているため、実質的にこの操作を行うことは非能率的であり意味をなさない。
【００１０】
（請求項２に記載した発明の特徴）
請求項２に記載した発明の研磨布保持装置は、上記のばね着脱手段の構成を具体化したものである。すなわち、上記のばね着脱手段を、上記の引っ張りばねの下端部に連結してある掛止リングと、揚送研磨機の扉の外面に首下の部分が一部露出するように立設してあり、頭部が上記の掛止リングの通過を容易にする形状に形成してなる特殊頭ボルトとの組み合わせによって構成してあるところに特徴がある。ここで特殊頭ボルトとは、頭部の形状を掛止リングの挿脱を容易にしたもの、例えば頭部を球状又は楕円球状に形成したもので、首下部分の長さが扉の外面にねじ込んだときに、首下の部分が上記の掛止リングを挿着するのに支障にならない長さを有するねじ部材をいう。
【００１１】
引っ張りばねを張り渡す際には、掛止リングを介してこのばねを下方に引き伸ばし、この掛止リングを特殊頭ボルトの首下の部分に掛けるだけでよい。また、この引っ張りばねを取り外す際には、この逆の操作だけで済むので、引っ張りばねの着脱操作が容易なものとなり、研磨布を引き出す際における作業を容易かつ研磨布を充分に付勢した状態に保持可能となる。
【００１２】
（請求項３に記載した発明の特徴）
請求項３に記載した発明の研磨布保持装置も、同じく上記のばね着脱手段の構成を具体化したものである。すなわち、上記のばね着脱手段を、上記の引っ張りばねの下端部又は上端部のいずれかに接続してあり、一方の側に上向きのフック部を有するフック部材と、揚送研磨機の扉の外面、又はスライド部材の下部のいずれかに固定してあり、他方の側に下向きのフック保持部を有するフック保持部材とを組み合わせたもので構成してあるところに特徴がある。引っ張りばねの張り渡し操作はフック部材を掴んでばねを引き延ばしてフック部と、フック部材のフック保持部とを係合させるだけで済むため、操作が極めて容易となっている。特に着脱手段が研磨布の影に隠れて見えにくくなっているような場合が生じたとしても、手探りで容易に張り渡し作業を行うことができる利点がある。
【００１３】
（請求項４に記載した発明の特徴）
請求項４に記載した発明の研磨布保持装置も同じくばね着脱手段の構成を具体化したものである。すなわち、上記のばね着脱手段は、上記の引っ張りばねの下端部に揺動自在に連結してある挿着部材と、揚送研磨機の扉の所定位置に設けてあり、上記の挿着部材を嵌め込み可能に設けてある少なくとも１個の挿着穴とにより構成してあるところに特徴がある。
【００１４】
このばね着脱手段における引っ張りばねの張り渡し作業は、装着部材を掴んで引っ張りばねを引き伸ばし、挿着部を上記の挿着穴に挿着することにより行われる。挿着穴はばねの張力による脱出防止のために水平又は斜め下向きとする必要があるが、振動の影響等を考慮すればやや斜め下向きとすることが望ましい。また、挿着穴は、研磨布に適当な付勢力を与えられるような位置に設ける必要があるが、運転中に研磨布が延びて弛みを生じるおそれがある。そこで、挿着穴を複数個にしてこれらを縦列に配置し、装着部材の挿着位置を適宜変更可能としておけば、常に適切な付勢力を与えることができるので、研磨布の弛みの発生等を防止可能となる。
【００１５】
【発明の実施の形態】
（揚送研磨機全体の構成）
初めに、本発明に係る研磨布保持装置を装着したパチンコ玉揚送研磨機の全体の構成についてその概要を説明する。図１（ａ）は研磨布が装着されておらず、扉が閉じている状態を示し、同図（ｂ）は扉が半開きになっており、研磨布が装着されている状態を示してある。
【００１６】
周知の通り、揚送研磨機はパチンコ島の中枢部となるものであり、遊技場の床面からほぼ天井までの高さの揚送塔１にパチンコ玉の循環機構の諸要素が付属するような形で取り付けてある。図１に示すように、揚送塔１は、揚送塔本体２とこれに開閉自在に取り付けてある扉３とからなるが、この扉は全体を１枚で構成してあるものと、高さの途中で２〜３枚に分割してあるものとあるが、ここでは、下扉３と上扉４との上下２枚になっているものを採用してある。揚送塔本体２の上下には、１対のプーリー５，６が取り付けてあり、これには無端ベルトからなる揚送ベルト（図示略）が掛け回してある。上記の揚送ベルトは、揚送塔１内で、後述の研磨布Ｎと所定間隔で対向するように設けてあり、この対向面間に送り込まれたパチンコ玉を研磨しながら揚送可能としてある。揚送ベルトは、揚送塔本体２の下部に取り付けてあるモーター７により駆動可能となっている。
【００１７】
同図（ｂ）に示すように、研磨布Ｎは、ロール状にしたものを順次巻き取り可能に揚送塔１の近くに置き、半開きになった下扉（以下「扉」という）３の下端部から扉３の内側に引き込み、上部を扉３の上端部から外側へ引き出すことにより装着してある。研磨布Ｎの下部は、下扉３の外側下部に設けてある研磨布固定部材９により固定し、上部は下扉３の外側上部に取り付けられた研磨布保持装置１１により付勢した状態に保持されている。
【００１８】
（研磨布保持装置の基本構成）
次に図２，図３を参照して研磨布保持装置１１の基本構成について説明する。研磨布保持装置１１は、取付板１３を介して扉３の外側に取り付けてある。取付板１３は、平板状のスライド部１３ａの上下にクランク状断面に屈成してなる取付部１３ｂ，１３ｂが形成してあり、これらの取付部に設けてある取付穴を用いて扉３の外面にビス止め固定してある。この取付部１３ｂ，１３ｂによりスライド部１３ａの背面側は下扉３の外面との間に若干の隙間が形成されている。
【００１９】
取付板１３のスライド部１３ａには、スライド部材１５が昇降自在に挿着してある。このスライド部材１５は、スライド部１３ａの前面と対向する平板部１５ａと、この平板部１５ａの両側部から立ち上げてなる側板部１５ｂ，１５ｂ及びこれらの側板部の外側に固着された保持部１５ｃ，１５ｃとからなる。各保持部１５ｃは、各側板部１５ｂの外側に溶着してあり、後部を直角に折り曲げてスライド部材１５が平板部１５ａの背面側に所定幅の抱持部１５ｄを形成してある。抱持部１５ｄは、スライド部１３ａの背面側に形成された上記の隙間の存在により、昇降動作に支障を生じないようになっている。平板部１５ａの下端中央部には、後述の引っ張りばね２１の上掛止部２１ａを掛止する掛け具部１５ｅが設けてある。
【００２０】
スライド部材１５の両側板部１５ｂ，１５ｂには、支軸１７を介してクランプ部材１９が揺動自在に取り付けてある。クランプ部材１９は、側板部１５ｂ、１５ｂの内側に接する幅を有するアーム部１９ａと、このアーム部の上端部を鋭角に折り曲げてなる押さえ付け部１９ｂと、支軸１７の軸受け部となる立ち曲げ部１９ｃ，１９ｃとを備えている。アーム部１９ａの下端部に形成された折り曲げ部１９ｄには、ハンドル１９ｅを設けることによりクランプ部材１９の操作を容易にしてある。上記の押さえ付け部１９ｂの先端部は、アーム部１９ａの下端部（ハンドル）が平板部１５ａに当接する状態になったときには、両者間の間隔を研磨布Ｎの厚さのほぼ半分程度となるようすることにより、十分な押さえ付け力が得られようになっている。また、後述するように、スライド部材１５に下向きの付勢力が作用しているときには、やや斜め下向きに食い込んでいる押さえ付け部１９ｂの先端部が、研磨布Ｎに食い込んだ状態のまま支軸１７側が下向きの力を受けることになる。この結果、この押さえ付け部１９ｂの先端部には、さらに研磨布Ｎに食い込むような力が働くため、スライド部材１５により下向きの力が作用しても滑りを生じるようなことが起きない。
【００２１】
（ばね着脱手段の構成）
スライド部材１５の平板部１５ａの下端部に設けてある掛け具部１５ｅには、引っ張りばね２１の上掛止部２１ａが掛止してある。引っ張りばね２１は、コイルばね部２１ｂと、上記の上掛止部２１ａ及び下掛止部２１ｃとからなるが、下掛止部２１ｃには後述のばね着脱手段２３を構成する掛止リング２５が設けてある。掛止リング２５は、コイルばねのコイル径よりも直径を大きくしたものを下掛止部２１ｃに連結したものからなる。また、ばね着脱手段２３は、この掛止リング２５と、この研磨布保持装置１１の下方に設けてある掛止部材（掛止手段）２７とを組み合わせることにより引っ張りばね２１の下端部を扉の外面に対して着脱可能としたものからなる。掛止部材２７としては、ここでは図４（ａ）に示すような、頭部が丸形又はなべ形の特殊頭ボルトを採用してある。ここでは、なべ頭ボルトの首下の部分を下扉３の外面に１０ｍｍ程度露出させるようにねじ込み、首下の部分に上記の掛止リング２５を掛止可能としてある。
【００２２】
次に、本発明に係る研磨布保持装置による研磨布Ｎの保持要領について説明する。図１（ｂ）に示すように、通常の状態において研磨布Ｎは、揚送塔の下部で下扉３の内側に引き込まれ、下扉３の上端部から扉の外側へ引き出し可能状態に挿着してある。研磨布Ｎの下部は、下扉３の外側に設けてある布固定部材９で固定されており、上部は研磨布保持装置１１で付勢された状態に保持されている。この研磨布Ｎは、使用の結果、汚れの程度が所定の基準を超えると、上端部側を引き出すことにより研磨作用を分担している範囲を交替させるようになっていることについては既述の通りである。
【００２３】
そこで、上記の研磨布の研磨作業分担範囲を交替させようとする際には、下扉３を開き、布固定部材９による研磨布Ｎの下部側の固定状態を解除し、次いで研磨布保持装置１１のクランプ状態を解除して研磨布Ｎの上部側を外へ引き出す。この際には、予め、ばね着脱手段２３の掛止状態を解除しておくことにより、引っ張りばね２１による付勢力が働かないようにしておく。研磨布Ｎを所定長だけ引き出し、上記の研磨作業を分担する範囲が完全に交替する位置になっていることを確認したら、布固定部材９（図１参照）で研磨布Ｎの下部側を固定する。
【００２４】
次に、上部を片手で引き下げながら研磨布保持装置１１のクランプ部材１９により研磨布Ｎをスライド部材１５の平板部１５ａに押さえ付ける。なお、この時には、スライド部材１５には付勢力が働いていないので、スライド部材を十分に持ち上げた状態で押さえ付けることが可能となっている。最後に引っ張りばね２１の下端部を、上記のばね着脱手段２３である掛止リング２５を、下扉３に設けてある特殊頭ボルト２７に係合させることにより終了する。
【００２５】
この研磨布の保持操作においては、上述の通り、研磨布をクランプする際に、引っ張りばね２１の一端を取り外した状態としてあるため、スライド部材１５には、付勢力が作用しないようになっている。このため、研磨布Ｎを十分に引き下げた状態かつスライド部材１５を付勢力に抗して持ち上げることなく押さえ付け可能となるので、研磨布Ｎの弛みを少なくすることが可能となる。次に、ばね着脱手段２３としての引っ張りばね２１の下端部の掛止リング２５を介して特殊頭ボルト２７に掛止させることにより研磨布Ｎを付勢した状態に保持する。研磨布Ｎは弛みのない状態に保持されているため、運転中にパチンコ玉の上昇運動によって押し上げられたとしても、これによって生じる弛みを吸収可能となる。
【００２６】
上記の特殊頭ボルト２７としては、このほか、図４（ｂ）に示すような、六角頭付きねじを同様に採用してもよい。これは市販品を流用可能なのでコスト低減に寄与する。さらにまた、同図（ｃ）に示すような、ボルトの頭部を土筆（つくし）の頭状に形成し、頭部の先端部にドライバー用の十字穴部を設けた特殊頭ボルトを採用するとよい。これは、頭部が丸みを帯びているため、掛止リング２５の着脱操作を容易にする効果がある。
【００２７】
（ばね着脱手段の他の例（１））
これは、上記のばね着脱手段２３を上記の掛止リングと特殊頭ボルトとの組み合わせに代えて、図５に示すように、１対のフック部材を含むフック式のばね着脱手段３３を採用したものである。同図（ａ）は、引っ張りばね３１の下端部に接続してあるフック部材３５を示している。フック部材３５の上端部には、引っ張りばね３１の下端部が固着してあり、このフック部材を下降させることにより、ばねを引き伸ばし可能としてある。なお、フック部材３５には、フック部３５ａの背面側に操作しやすくするためのつまみ部３５ｂを設けるようにしてある。
【００２８】
これに対し、フック保持部材３７は、同図（ｃ）に示すように、フック部材３５と同様の断面形状の部材からなり、フック保持部３７ａを下向きに下扉３の外面にねじ止め固定したものを採用してある。このばね着脱手段３３により、スライド部材１５（図２，３参照）に付勢力を与える状態とする際には、このフック部材３５を掴んで引き下げることにより引っ張りばね３１を引き伸ばし、フック部３５ａを下扉３に固定されているフック保持部材３７のフック部３７ａに掛止させてから手を離すと、引っ張りばね３１の復帰力によりフック部同士が弾接状態に結合する。フック部同士を係合させる操作は手探りに作業よってもできるので、この部分が研磨布Ｎの影に隠れた状態になっているような場合においても引っ張りばねの着脱操作を容易に行うことができる。
【００２９】
（ばね着脱手段の他の例（２））
このばね着脱手段４３は、上記のばね着脱手段２３に代えて、図６に示すように、これを引っ張りばね４１の下端部に揺動自在に取り付けられた挿着部材４５と、下扉３の外面に縦に並ぶように配設してある複数の挿着穴４７，４７とを組み合わせたものを採用してある。各挿着穴４７は、水平又はやや下向き状態に設けることにより振動で脱出しないようにしてある。挿着部材４５を掴みやすい形状に形成しておけば、着脱操作が容易であるほか、複数の挿着穴を選択して使用することにより常時適切な付勢力を得ることが可能となる利点がある。
【００３０】
以上の説明においては、いずれもばね着脱手段を引っ張りばねの下端部側に設けるようになっているが、これらのばね着脱手段は、引っ張りばねの上端部側に設けるようにしてもよい。例えば、スライド部材１５の中央下部に掛止部材を突設し、これに引っ張りばねの上端部に設けてある掛止リングを掛合可能に構成するようにしてもよい。同様にして、上記第２例に示したフック部材を引っ張りばねの上端部とスライド部材１５の中央下部に設けることにより着脱可能としてもよい。ただし、ばね着脱手段を引っ張りばねの上端部側に設けると、ばねの掛止状態を解除すると、ばねが下方へ吊り下がり状態となり、次に行う掛止作業が少し煩わしくなるので、ばね着脱手段は引っ張りばねの下端部側に設けるようにすることが望ましい。
【００３１】
なお、以上の説明は、研磨布保持装置の構成を、クランプ部材の押さえ付け部と、スライド部材の平板部との間に研磨布を挟み込んで研磨布を押さえ付けるものとして説明してある。しかしながら、本発明は、上記の構成に拘る趣旨ではなく他の構成、例えば、従来技術例のように、ガイドフレームの前面に設けられた抵抗体と、支軸に偏芯状に支持された押圧棒部材の先端部とにより押さえ付けるようにしたものであってもよい（図７参照）。
【００３２】
【発明の効果】
本発明によれば、ばね着脱手段の採用により、研磨布に付勢力を与える引っ張りばねをスライド部材から取り外した状態で、クランプ部材で研磨布を押さえ付け可能としてあるため、スライド部材をより上方位置においた状態で研磨布を押さえ付け可能となる。このため、研磨布の弛みがない状態に保持可能となる。また、ばね着脱手段として引っ張りばねを着脱容易にする構成を採用すれば、研磨布を引き出して保持する際の作業が容易となる。さらに、ばね着脱手段として引っ張りばねの下端部に設けた挿着部材と扉の外側に設けた複数の挿着穴部との組み合わせを採用すれば、差し込む穴を適宜選択することにより常時適切な付勢力を得ることが可能となる。
【図面の簡単な説明】
【図１】本発明を適用した揚送研磨機の全体の構成を示すものであり、（ａ）は研磨布未装着の正面図、（ｂ）は扉を半開きにした状態を示す正面図である。
【図２】本発明の一形態例としての研磨布保持装置が揚送研磨機の扉に取り付けてある状態を示す斜視図である。
【図３】本発明の一形態例としての研磨布保持装置により研磨布を保持している状態を示す斜視図である。
【図４】ばね着脱手段としての特殊頭ボルトの例を示す正面図及び側面図である。
【図５】ばね着脱手段の変形例（１）の構成を示すものであり、（ａ）はフック部材の側面図、（ｂ）は同正面図、（ｃ）はフック保持部材が扉に取り付けられている状態を示す断面図、（ｄ）はフック保持部材の正面図である。
【図６】ばね着脱手段の変形例（２）の構成を示すものであり、（ａ）は挿着部材の正面図、（ｂ）は挿着部材が扉の外面に挿着してある状態を示す断面図である。
【図７】従来技術例を示す断面図である。
【符号の説明】
Ｎ                研磨布
３                下扉
４                上扉
９                布固定部材
１１              研磨布保持装置
１３              取付板
１５              スライド部材
１５ａ            平板部
１５ｂ            側板部
１５ｃ            保持部
１９              クランプ部材
１９ａ            レバー部
１９ｂ            押さえ付け部
２１、３１，４１  引っ張りばね
２３，３３，４３  ばね着脱手段
２５              掛止手段（掛止リング）
２７              掛止手段（特殊頭ボルト）
３５              フック部材
３５ａ，３７ａ    フック部
３７              フック保持部材
４５              挿着部材
４７              挿着穴
【図１】
2004159929.tif 000003
【図２】
2004159929.tif 000004
【図３】
2004159929.tif 000005
【図４】
2004159929.tif 000006
【図５】
2004159929.tif 000007
【図６】
2004159929.tif 000008
【図７】
2004159929.tif 000009